(57)【要約】【課題】プレキャストコンクリートを用い、自由勾配暗渠側溝を構築可能とする。【解決手段】必要な内高断面に上下を高さ調整機能を介在させて組合せ１個とする暗渠側溝ブロック体（１Ａ）を水路勾配に布設したのち上下緊結ボルト（１０Ａ）を解除し、あらためて暗渠上面の計画高さに合せて上部ブロック（３）をボルトの上下により調整固定する。【選択図】　図１
2004108129.tif 000002
【特許請求の範囲】
【請求項１】
下部Ｕ形側溝（２）と上部ブロック（３）とを内高断面の種類に応じて高さ調整機能を介在させて組合せ、上下を緊結した暗渠側溝ブロック体（１Ａ）を用い、必要な水路勾配に布設したのち、上下の緊結を解除し、上部ブロックの高さを調整して底部を水路勾配に固定したまま内高断面を変化させる自由勾配暗渠側溝（１Ｂ）。
【請求項２】
下部Ｕ形側溝（２）と上部ブロック（３）とを高さ調整ボルト（１０Ｂ）を介在させて組合せ、上下緊結ボルト（１０Ａ）で仮緊結した暗渠側溝ブロック体（１Ａ）。
【発明の詳細な説明】
【０００１】
【発明の属する技術分野】
本発明は、プレキャストコンクリートを用いて形成する自由勾配暗渠側溝に関する。
【０００２】
【従来の技術】
従来、自由勾配暗渠側溝は、上下に分割されたプレキャストコンクリートを現場施工時に組合わせて構築するものであり、特開２０００−２７２７７や特開２００１−１２３５１９に示すように先行して下部を設置してのち上部のプレキャストコンクリートを施工するものである。
このため、下部と上部の布設にそれぞれクレーンと施工手間を必要とするので施工期間も長く且つ高価なものとなっている。
【０００３】
【発明が解決しようとする課題】
暗渠側溝全体の排水勾配を直接基礎上にコンクリートベースを省略してプレキャストコンクリートで形成してのち、側溝本体の上部高さを変化させて自由勾配に暗渠構造側溝の構築を可能とする。
【０００４】
【課題を解決するための手段】
上下に２分割して個別に生産し、深さの種類に応じてボルトで上下プレセットしたものを１個の暗渠側溝ブロック体として輸送、小運搬、吊上げ、吊下ろし、据付設置する。
しかるのち、底版を固定した状態のまま上部高さの調整を両側の緊結部ボルトネジにて行い、自由勾配に構築する。
【０００５】
【発明の実施の形態】
通常１ないし数種類の深さが例えば１０ｃｍ刻みの下部Ｕ形側溝を適宜に用いて、側溝延長全体の落差を構成するのであるが、必要な内高断面に上下を高さ調整機能を介在させて組合せて１個とする暗渠側溝ブロック体を基礎上に水路勾配に合わせて布設し、下部Ｕ形側溝部分の側面まで埋戻し転圧する。
しかるのち、上下緊結ボルトを解除し、あらためて暗渠上面を計画高さに合せて、ボルトで調整する。そしてモルタルないし調整コンクリートを填充し、暗渠構造の自由勾配側溝全体が形成される。
【０００６】
以下図面に示す実施例について説明する。
【０００７】
図１、図２、図３に実施例の施工状態を示す。
図１は下部Ｕ形側溝両側頂面にナット付ボルト孔を設け、上部ブロックと必要な高さにボルトで調整して構築した暗渠側溝の実施例であり、図２は外側に突出したステップにナット付ボルト貫通孔を設けたＵ形側溝を用い上部ブロックと必要な高さにボルトで調整して構築した暗渠側溝の実施例、さらに図３はフーチングにナット付ボルト貫通孔を設けたＵ形側溝を用い、上部ブロックと必要な高さにボルトで調整構築した暗渠側溝の実施例である。
（１Ｂ）は暗渠側溝、（２）は下部Ｕ形側溝、（３）は上部ブロックである。
下部Ｕ形側溝（２）は図４、図５、図６に示すとおり、両側には内高断面高低調整分を加味した最低部の位置に高さ調整ボルト（１０Ｂ）を植立するステップ（４）を設け、さらに図８、図１１、図１４に示すように立上り、外壁に上部ブロックとの緊結用のインサート（９）を埋設又はボルト孔（８）を有している。
上部ブロック（３）は図７、図１０、図１３に示すように上版と両側壁の全部又は一部を有し、下部Ｕ形側溝と対応する位置に緊結用のボルト孔（８）ないしインサート（９）が設けてある。
まず、基礎（１８）の上に、図９、図１２、図１５に示すとおり　両側の上下緊結ボルト（１０Ａ）、（１０Ａ）でのプレセットにより１個とした暗渠側溝ブロック体（１Ａ）を排水勾配に合わせて布設し、下部Ｕ形側溝両側部分までの埋戻しをする。
しかるのち、上下緊結ボルト（１０Ａ）、（１０Ａ）を解除し、暗渠上面の計画高さに合わせてあらためて各高さ調整ボルト（１０Ｂ）でレベル調整する。この場合　高さ調整ボルト（１０Ｂ）上に支持された上部ブロック（３）は、ジャッキやクレーンを必要とせずに、容易に調整作業が可能である。そして、調整コンクリート（１２）又はモルタル（１３）を打設し、側溝本体を形成する。
【０００８】
上部ブロック（３）は両側ないし両側寄りに側壁（６）、（６）かその一部または側壁と脚を兼ねるフランジ（７）、（７）を有し、下部Ｕ形側溝（２）のステップ（４）、（４）を支承にして下部Ｕ形側溝を覆いブリッジ状に載置され、この実施例の上部ブロック（３）は、図１、図２に示すものは両側壁又はフランジとともに全体が一個のものである。
また、図３に示すものは左右が分離し、複数の固定梁（１４）のみによって連結し、雨水等の流入口となる連続状態のスリット（１５）が形成され適宜に横断用にグレーチング（１７）を連続組込としたものである。
さらに図１の実施例では適宜の間隔にスリット（１５）を有し、また必要に応じ図２に示す実施例のものは蓋受開口部（１６）を設け、グレーチング（１７）がセットされている。
【０００９】
図１に示す実施例のフランジ（７）、（７）の外面間隔は、下部Ｕ形側溝の両側壁（６）、（６）にほぼ内接するものとし、曲線施工や施工誤差等に対する余裕分として適宜に例えば０．５〜１ｃｍの間隙を加味して設定するのがよい。図２、図３に示す実施例の上部ブロック（３）のフランジ（９）、（９）又は側壁（６）（６）の内面間隔は下部Ｕ形側溝の両側壁にほぼ外接するものとし、余祐分として図１の実施例と同様に例えば０．５〜１ｃｍの間隔を加味して設定するのがよい。
【００１０】
下部Ｕ形側溝（２）の側壁（６）、（６）に内接又は外接する上部ブロック（３）の、フランジ（７）、（７）又は側壁（６）（６）対応部分は図１、図２の下部Ｕ形側溝（２）の深さが１０ｃｍ刻みに規格化されている場合及び図３の上部ブロック（３）の内高が１０ｃｍ刻みに規格化されている場合には、変化点の落差１０ｃｍをカバーし、さらに下部Ｕ形側溝の側壁との組合せ係止に必要な約５ｃｍを加えて通常１５ｃｍ程度に設定される。また図２、図３の上部ブロックのフランジ（７）（７）又は側壁（６）（６）は上載荷重及び側圧荷重の条件に対応した厚さを具備したものである。
【００１１】
図２、図５、図１０は街渠用とし、排水性舗装（２０）用の排水孔（１９）を設けた上部ブロック（３）の実施例である。
【００１２】
【発明の効果】
この発明は以上説明したような形態で実施され、以下に記載されるような効果を奏する。
【００１３】
基礎の上に布設するため、コンクリートベースが不要となり施工期間が短縮される。
【００１４】
下部Ｕ形側溝と上部ブロックを組合せた１個の暗渠側溝ブロック体での輸送及び据付工事となり、上下個別よりも搬入、小運搬、吊上げ、吊下ろし、据付設置の施工全般にわたりクレーン経費および人件費が半減する。さらに、設置後の上部ブロックの高さ調整においてもジャッキやクレーンの必要がなく単にボルトの上下のみにて簡便に出来且つ安全作業となる。
【００１５】
上下各ブロックとも工場生産は容易であり、さらに深さの種類に応じて上下を２個から口形状の１個にプレセットする工程も工場内作業とするため、安価に供給出来ると同時に、施工現場の安全管理も向上する。
【００１６】
図１、図２の実施例においては、上部ブロック１種類ですべての勾配に対応でき、また図３の実施例においては下部Ｕ形側溝１種類ですべての勾配に対応出来る。そして上下ブロックの高さ調整はボルトでの直接支持により、モルタルないし調整コンクリートに上載荷重の負担がおよばない安定したガタツキ音の生じない自由勾配暗渠側溝構造となる。
【図面の簡単な説明】
【図１】両側頂面ステップにナット付ボルト孔を設けたＵ形側溝による自由勾配暗渠側溝の実施例を示す切欠斜面図である。
【図２】ステップにナット付ボルト貫通孔を設けたＵ形側溝による自由勾配暗渠側溝の実施例を示す切欠斜面図である。
【図３】フーチングにナット付ボルト貫通孔を設けたＵ形側溝自由勾配暗渠側溝の実施例を示す切欠斜面図である。
【図４】図１のＡ〜Ａ線にそった断面図である。
【図５】図２のＡ〜Ａ線にそった断面図である。
【図６】図３のＡ〜Ａ線にそった断面図である。
【図７】図１の実施例における上部ブロックの斜面図である。
【図８】図１の実施例における下部Ｕ形側溝の斜面図である。
【図９】図１の実施例の布設において上下プレセットにより１個とした暗渠側溝ブロック体の切欠斜面図である。
【図１０】図２の実施例における上部ブロックの斜面図である。
【図１１】図２の実施例における下部Ｕ形側溝の斜面図である。
【図１２】図２の実施例の布設において上下プレセットにより１個とした暗渠側溝ブロック体の切欠斜面図である．
【図１３】図３の実施例における上部ブロックの斜面図である。
【図１４】図３の実施例における下部Ｕ形側溝の斜面図である。
【図１５】図３の実施例の布設において上下プレセットにより１個とした暗渠側溝ブロック体の切欠斜面図である。
【符号の説明】
１Ａ　暗渠側溝ブロック体
１Ｂ　暗渠側溝
２　　下部Ｕ形側溝
３　　上部ブロック
４　　ステップ
５　　フーチング
６　　側壁
７　　フランジ
８　　ボルト孔
９　　インサート
１０Ａ　上下緊結ボルト
１０Ｂ　高さ調整ボルト
１１　　ナット付ボルト孔
１２　　コンクリート
１３　　モルタル
１４　　固定梁
１５　　スリット
１６　　蓋受開口部
１７　　グレーチング
１８　　基礎
１９　　排水孔
２０　　排水性舗装
２１　　パッキン
２２　　バックアップ材
２３　　縁石
【図１】
2004108129.tif 000003
【図２】
2004108129.tif 000004
【図３】
2004108129.tif 000005
【図４】
2004108129.tif 000006
【図５】
2004108129.tif 000007
【図６】
2004108129.tif 000008
【図７】
2004108129.tif 000009
【図８】
2004108129.tif 000010
【図９】
2004108129.tif 000011
【図１０】
2004108129.tif 000012
【図１１】
2004108129.tif 000013
【図１２】
2004108129.tif 000014
【図１３】
2004108129.tif 000015
【図１４】
2004108129.tif 000016
【図１５】
2004108129.tif 000017